(57)【要約】      （修正有）【課題】二層成形する樹脂に光の方向によって色が変わる粒子を添加した透明または半透明の軟質材を用いることにより、小売店やショールームで展示された時に強い印象を与えると共に、目を引く効果を長期間保つことができる、操作性の良い電動工具を提供する。【解決手段】胴体部と、胴体部から垂下するハンドル部と、ハンドル部下部にバッテリ着脱可能なバッテリ受け部を一体に備えた二つ割ハウジングを有し、且つ、一層目の樹脂を射出成形したハウジングに、一層目の樹脂より軟質の二層目の樹脂を射出成形し熱溶着させたハウジングを有する電動工具において、光の方向によって色が変わる粒子を添加した透明または半透明の樹脂を上記二層目に用いて、上記胴体部の側面から上面を経て、反対側の上記胴体部の側面まで続く、広い領域に形成する。【選択図】図１
2005254377.tif 000002
【特許請求の範囲】
【請求項１】
駆動源であるモータと、該モータの駆動力を伝達する伝達機構部と、該伝達機構部より前記モータの駆動力を伝達される先端工具保持部と、前記モータへの電力の供給を制御するスイッチと、前後方向に延びる略円筒形の外枠であって、後方から順に前記モータ、前記伝達機構部及び前記先端工具保持部を収納する胴体部と、該胴体部に連設される外枠であって前記スイッチを収容するハンドル部とを有する電動工具において、前記胴体部または前記ハンドル部の表面に光の方向によって色が変わる粒子を添加した透明または半透明の軟質材からなる保護層を設けることを特徴とする電動工具。
【請求項２】
駆動源であるモータと、該モータの駆動力を伝達する伝達機構部と、該伝達機構部より前記モータの駆動力を伝達される先端工具保持部と、前記モータへの電力の供給を制御するスイッチと、前後方向に延びる略円筒形の外枠であって、後方から順に前記モータ、前記伝達機構部及び前記先端工具保持部を収納する胴体部と、該胴体部に連設される外枠であって前記スイッチを収容するハンドル部とを有し、加えてガラス繊維を含む不透明な硬化樹脂が射出成形された一層目の外枠を有し、且つ該一層目の樹脂の表面に、前記一層目の樹脂より軟質で透明または不透明な樹脂が射出成形され熱溶着された二層目の樹脂を有する電動工具において、該二層目の樹脂に光の方向によって色が変わる粒子を添加したことを特徴とする電動工具。
【請求項３】
請求項２において、前記二層目の樹脂を成形する金型を鏡面に磨くことにより、前記二層目の樹脂の表面に光沢処理を施したことを特徴とする電動工具。
【請求項４】
請求項２及び請求項３において、前記二層目の樹脂の手で握る部分に滑り止めのシボ加工またはエンボス加工を施したことを特徴とする電動工具。
【発明の詳細な説明】
【技術分野】
【０００１】
本発明は、外枠表面に光の方向によって色が変わる粒子を添加した透明または半透明の軟質材からなる保護層を有する電動工具に関するものである。
【背景技術】
【０００２】
従来の電動工具を、図８を用いて説明する。図８は従来の電動工具の外観を示す正面図である。ハンドル部１０を把握する手指の滑り止め、あるいは握り心地を良くし操作性及び作業性を向上させる目的で、一層目の樹脂１６より軟質のエラストマー等からなる二層目の樹脂１５（斜線部）をハンドル部１０に形成している。また、胴体部９の後面及び側面の水平方向に延びる領域に二層目の樹脂１５（斜線部）を形成することにより、電動工具を地面に横方向に置いたときに載置面及び電動工具が傷つくのを防止するとともに、電動工具を傾斜面に置いたときに滑り止めとして働くようにしている。
【０００３】
特許文献１には、このような二層成形のハウジングを有する電動ドライバーについて、一層目の樹脂は強度上ガラス繊維が配合されているために不透明で発色が悪く不可能であったが、強度を必要としないため透過性がより高い二層目の樹脂に、光を反射する人工雲母もしくは金属片を混ぜることで、懐中電灯等の光を当てるとその光を反射する銀色や金色等をまとった電動ドライバーが提供でき、夜間の暗い建築現場で電動ドライバーを見つけ易いことが提案されている。
【０００４】
【特許文献１】特開２００３−２４５８６５号公報
【発明の開示】
【発明が解決しようとする課題】
【０００５】
本発明が解決しようとする課題を、図９及び図１０を用いて説明する。図９及び図１０は従来の電動工具の展示例を示す図であり、いずれも垂直のボードに固定されたフック上に置かれている。従来の電動工具は、図９に示すように胴体部及びハンドル部に形成した軟質のエラストマー等からなる二層目の樹脂の色がつや消しの黒色であり、人目を引く効果が低かった。また、図１０に示すように軟質で半透明なエラストマーからなる二層目の樹脂に光を反射する人工雲母を添加することで銀色を表現したものもあるが、先端工具保持部を手前にしたり、収納ケースごと展示すると二層目の樹脂が目立たなくなるという問題や、銀色が単色であるために、見慣れると印象が弱くなり、人目を引く効果が低下し易いという問題があった。
【０００６】
本発明の目的は、上記の問題を解決し、小売店やショールームでどのような向きで展示しても強い印象を与えると共に、長期間展示しても人目を引く効果が低下しにくい、操作性の良い電動工具を提供することにある。
【課題を解決するための手段】
【０００７】
駆動源であるモータと、該モータの駆動力を伝達する伝達機構部と、該伝達機構部より前記モータの駆動力を伝達される先端工具保持部と、前記モータへの電力の供給を制御するスイッチと、前後方向に延びる略円筒形の外枠であって、後方から順に前記モータ、前記伝達機構部及び前記先端工具保持部を収納する胴体部と、該胴体部と連設される外枠であって前記スイッチを収容するハンドル部とを有する電動工具において、前記胴体部または前記ハンドル部の表面に光の方向によって色が変わる粒子を添加した透明または半透明の軟質材からなる保護層をハウジング表面の広い領域に設けることによって、従来の人工雲母を添加した半透明の樹脂では表現できなかった光輝感と重厚感のある金属色を表現することができ、さらに前期保護層は見る角度や光の加減によって色調や光沢が微妙に変化するために、従来の単色の樹脂に比べて顧客の色の好みにより広く対応することができる。
また、駆動源であるモータと、該モータの駆動力を伝達する伝達機構部と、該伝達機構部より前記モータの駆動力を伝達される先端工具保持部と、前記モータへの電力の供給を制御するスイッチと、前後方向に延びる略円筒形の外枠であって、後方から順に前記モータ、前記伝達機構部及び前記先端工具保持部を収納する胴体部と、該胴体部に連設される外枠であって前記スイッチを収容するハンドル部とを有し、加えてガラス繊維を含む不透明な硬化樹脂が射出成形された一層目の外枠を有し、且つ、該一層目の樹脂の表面に、前記一層目の樹脂より軟質で透明または不透明な樹脂が射出成形され熱溶着された二層目の樹脂を有する電動工具において、該二層目の樹脂に光の方向によって色が変わる粒子を添加することによって、前記保護層と同様の金属色が表現できる。
また、前記二層目の樹脂を成形する金型を鏡面に磨くことにより、前記二層目の樹脂の表面に光沢処理を施し、より光輝感のある金属色を表現することができる。
さらに、前記二層目の樹脂の手で握る部分に滑り止めのシボ加工またはエンボス加工を施すことによって、手を前記シボ加工部またはエンボス加工部に沿わせれば滑ることがなくなり、操作性が向上する。
【発明の効果】
【０００８】
本発明によれば、電動工具において、光の方向によって色が変わる粒子を添加した透明または半透明の軟質材からなる保護層をハウジング表面の広い領域に設けることによって、従来の人工雲母を添加した半透明の樹脂では表現できなかった光輝感と重厚感のある金属色を表現することができ、小売店やショールームでどのような向きで展示しても強い印象を与えることができる。さらに前期保護層は見る角度や光源の加減によって色調や光沢が微妙に変化するために、単色の樹脂に比べて顧客の色の好みにより広く対応することができ、人目を引く効果を長期間保つことができる。
また、ガラス繊維を含む不透明な硬化樹脂が射出成形された一層目の外枠を有し、且つ、該一層目の樹脂の表面に前記一層目の樹脂より軟質で透明または不透明な樹脂が射出成形され熱溶着された二層目の樹脂を有する電動工具において、前記二層目の樹脂に光の方向によって色が変わる粒子を添加することによって、前記保護層と同様の金属色が表現でき、同等の効果が得られる。
また、前記二層目の樹脂を成形する金型を鏡面に磨くことにより、前記二層目の樹脂の表面に光沢処理を施し、より光輝感のある金属色を表現することで、前記保護層と同等の効果を高めることができる。
さらに、前記二層目の樹脂の手で握る部分に滑り止めのシボ加工またはエンボス加工を施すことによって、手をシボ加工部またはエンボス加工部に沿わせれば滑ることがなくなり、前記保護層と同等の効果を保ちながら操作性を向上させることができる。
【発明を実施するための最良の形態】
【０００９】
本発明による実施の形態による電動工具の一例を、図１〜図１０を用いて説明する。図１は本発明による電動工具の外観を示す正面図、図２は本発明による電動工具の外観を示す背面図、図３は本発明による電動工具の外観を示す左側面図、図４は本発明による電動工具の内部構造を示す全体構造図、図５は本発明による電動工具のハウジングの部分断面図、図６及び図７は本発明による電動工具の展示例を示す図、図８は従来の電動工具の外観を示す正面図、図９及び図１０は従来の電動工具の展示例を示す図である。
【００１０】
図３及び図４において、電動工具の１種であるインパクトドライバ１は、電動工具の外形を形成する外枠であるハウジング２と、同じく外枠であるハンマケース３の内部で、先端工具保持部であるアンビル４と同軸上に配置された駆動源であるモータ５により回転する伝達機構部である遊星ギヤ部６で回転が減速され、該遊星ギヤ部６にスピンドル７に挿入されて合わせてインパクト機構部となるハンマ８により該アンビル４が回転打撃されるものである。ハウジング２は左右に分割されたハウジング２ａとハウジング２ｂとを組合わせたものである。ハウジング２ａとハウジング２ｂとは図示せぬねじによって組合わされており、胴体部９と該胴体部９から垂下するハンドル部１０が形成されており、上記胴体部９後方に風窓１１が、ハンドル部１０内には上部にスイッチ１２が、下部にバッテリ受け部１３とバッテリ１４の一部がそれぞれ配設される。
【００１１】
ハウジング２ａ及び２ｂは、ナイロン樹脂等からなる一層目の樹脂１６を射出成形することで形成される。該一層目の樹脂１６より軟質で、かつ光の方向によって色が変わる粒子１７を添加したエラストマ等からなる二層目の樹脂１５（斜線部）を、一層目の樹脂１６上に射出成形して熱溶着させることで保護層が形成される。
【００１２】
保護層は、ハウジング２ａ及び２ｂのほぼ全体を覆うように設けられる。保護層の面積は、図１の方向から見てハウジング２全体のおよそ６０％以上を占める。保護層はハウジング２ａ上で、ハンドル部１０の後方からハンドル部１０の下方、ハンドル部１０の下方から胴体部９の前方、胴体部９の前方から胴体部９の後方へと繋がるように設けられる。ハウジング２ｂについても同様に、ハウジング１ｂとほぼ対称となるように保護層が設けられる。このように保護層は胴体部９のほぼ全域を覆うように設けられるため、インパクトドライバ１はハウジング２の広い領域で光輝感と重厚感のある金属色を表現することができ、小売店やショールームで図６に示すように先端工具保持部を手前にしたり、図７に示すように収納ケースごと展示しても保護層が広く見えるために、見る人に強い印象を与えることができる。さらに保護層は見る角度や光の加減によって色調や光沢が微妙に変化するために、従来の単色の樹脂に比べて顧客の色の好みにより広く対応することができ、人目を引く効果を長期間保つことができる。
また、インパクトドライバ１において、一層目の樹脂１６がガラス繊維を含む不透明な硬化樹脂で、二層目の樹脂１５が前記一層目の樹脂１６より軟質で透明または不透明な樹脂の場合も、前記二層目の樹脂１５に光の方向によって色が変わる粒子１７を添加することによって、前記保護層と同様の金属色が表現でき、同等の効果を得ることができる。
また、二層目の樹脂１５を成形する金型を鏡面に磨くことにより、前記二層目の樹脂１５の表面に光沢処理を施し、より光輝感のある金属色にすることで、前記保護層と同等の効果を高めることができる。
さらに、二層目の樹脂１５の手で握る部分に滑り止めのシボ加工またはエンボス加工を施すことによって、手をシボ加工部１８またはエンボス加工部１９に沿わせれば滑ることがなくなり、前記保護層と同等の効果を保ちながら操作性を向上させることができる。
また、インパクトドライバ１を使用するときに、ハウジング２ａ上の保護層の領域が広いために、ハンドルを握るときだけでなく、胴体部を握る必要がある作業もより快適に行うことができる。また、ハウジング２が周囲の建て材等に接触しかかっても、保護層が介在することによって、互いに傷つけ合ったり、破損したりすることを防ぐことができる。また、保護層は繋がって一体とされているので、保護層の成形型には、材料を型内に送る通路であるゲートの数を少なく、例えば１つにすることができる。また、保護層は地面に落としたときの衝撃を吸収してインパクトドライバ１が破損することを防ぐことができる。
【００１３】
最後に、以上説明した二層成形の構成は、例示したインパクトドライバ１に限らず、丸のこ等の電動工具に幅広く適用可能である。
【図面の簡単な説明】
【００１４】
【図１】本発明による電動工具の外観を示す正面図。
【図２】本発明による電動工具の外観を示す背面図。
【図３】本発明による電動工具の外観を示す左側面図。
【図４】本発明による電動工具の内部構造を示す全体構造図である。
【図５】本発明による電動工具のハウジングの部分断面図。
【図６】本発明による電動工具の展示例を示す図。
【図７】本発明による電動工具の展示例を示す図。
【図８】従来の電動工具の外観を示す正面図。
【図９】従来の電動工具の展示例を示す図。
【図１０】従来の電動工具の展示例を示す図。
【符号の説明】
【００１５】
１はインパクトドライバ、２、２ａ、２ｂはハウジング、３はハンマケース、４はアンビル、５はモータ、６は遊星ギヤ部、７はスピンドル、８はハンマ、９は胴体部、１０はハンドル部、１１は風窓、１２はスイッチ、１３はバッテリ受け部、１４はバッテリ、１５は二層目の樹脂、１６は一層目の樹脂、１７は光の方向によって色が変わる粒子、１８はシボ加工部、１９はエンボス加工部である。
【図１】
2005254377.tif 000003
【図２】
2005254377.tif 000004
【図３】
2005254377.tif 000005
【図４】
2005254377.tif 000006
【図５】
2005254377.tif 000007
【図６】
2005254377.tif 000008
【図７】
2005254377.tif 000009
【図８】
2005254377.tif 000010
【図９】
2005254377.tif 000011
【図１０】
2005254377.tif 000012